(57)【要約】      （修正有）【課題】隣接する導電端子列間の共振を抑え、有効スクラッチ距離も低減させないコネクタを提供する。【解決手段】ハウジング１００、複数の端子列、および挿入タング１３０を含むコネクタを開示する。複数の端子列は、少なくとも第１の端子列１１０および第１の端子列に隣接する第２の端子列１２０を備える。第１の端子列１１０の接触部分１１１および第２の端子列１２０の接触部分１２１は、挿入タング１３０の第１の面および第２の面上で保持される。第１の端子１１０の末端部１１１aは、それぞれの第１の端子１１０から切断されており、同様に末端部１２１aは、第２の端子１２０から切断されている。これにより、それぞれの端子の有効導電長を低減させ、２つの隣接する端子列間の共振を実質上抑制することができる。加えて、コネクタのそれぞれの端子から切断された末端部はそれでもなお、相手側コネクタの相手側端子に摺接することができる。【選択図】図２
2018110104.tif 000002
【特許請求の範囲】
【請求項１】
ハウジング（１００）と、
前記ハウジング（１００）内に設けられ、少なくとも第１の端子列（１１０）および前記第１の端子列（１１０）に隣接する第２の端子列（１２０）を備える複数の端子列（１１０、１２０）であって、前記第１の端子列（１１０）の端子が前記第２の端子列（１２０）の端子にそれぞれ対応する、複数の端子列（１１０、１２０）と、
前記ハウジング（１００）内に設けられ、第１の面および前記第１の面とは反対側の第２の面を有する挿入タング（１３０）であって、前記第１の端子列（１１０）の接触部分（１１１）および前記第２の端子列（１２０）の接触部分（１２１）が、前記挿入タング（１３０）の前記第１の面および前記第２の面上でそれぞれ保持される、挿入タング（１３０）とを備え、
前記第１の端子（１１０）の少なくともいくつかの前記接触部分（１１１）の末端部（１１１ａ）は、それぞれの前記第１の端子（１１０）から切断されており、
前記第１の端子（１１０）の少なくともいくつかに対応する前記第２の端子（１２０）の少なくともいくつかの前記接触部分（１２１）の末端部（１２１ａ）が、それぞれの前記第２の端子（１２０）から切断されている、
コネクタ。
【請求項２】
前記第１の端子列（１１０）および前記第２の端子列（１２０）はそれぞれ、少なくとも１対の高速差分信号端子（Ｓ、Ｓ）を備えている、請求項１に記載のコネクタ。
【請求項３】
前記第１の端子列（１１０）および前記第２の端子列（１２０）内の前記高速差分信号端子（Ｓ）の前記接触部分（１１１、１２１）の末端部（１１１ａ、１２１ａ）は、それぞれの前記高速差分信号端子（Ｓ）から切断されており、
前記第１の端子列（１１０）および前記第２の端子列（１２０）内の前記高速差分信号端子（Ｓ）以外の他の端子（Ｇ、Ｔ）の前記接触部分（１１１、１２１）の末端部（１１１ａ、１２１ａ）は、それぞれの前記端子（Ｇ、Ｔ）から切断されていない、請求項２に記載のコネクタ。
【請求項４】
前記第１の端子列（１１０）および前記第２の端子列（１２０）はそれぞれ、少なくとも１対の低速差分信号端子（Ｔ、Ｔ）をさらに備えている、請求項２に記載のコネクタ。
【請求項５】
前記第１の端子列（１１０）および前記第２の端子列（１２０）内の前記高速差分信号端子（Ｓ）および前記低速差分信号端子（Ｔ）の前記接触部分（１１１、１２１）の末端部（１１１ａ、１２１ａ）はどちらも、それぞれの前記端子から切断されており、
前記第１の端子列（１１０）および前記第２の端子列（１２０）内の前記高速差分信号端子（Ｓ）および前記低速差分信号端子（Ｔ）以外の他の端子（Ｇ）の前記接触部分（１１１、１２１）の末端部（１１１ａ、１２１ａ）は、それぞれの前記端子（Ｇ）から切断されていない、請求項４に記載のコネクタ。
【請求項６】
前記第１の端子列（１１０）および前記第２の端子列（１２０）はそれぞれ、少なくとも１つの接地端子（Ｇ）をさらに備え、前記接地端子（Ｇ）は、２対の高速差分信号端子（Ｓ）間または１対の低速差分信号端子（Ｔ）と１対の高速差分信号端子（Ｓ）との間に位置している、請求項４に記載のコネクタ。
【請求項７】
前記第１の端子列（１１０）および前記第２の端子列（１２０）内の前記高速差分信号端子（Ｓ）、前記低速差分信号端子（Ｔ）、および前記接地端子（Ｇ）の前記接触部分（１１１、１２１）の末端部（１１１ａ、１２１ａ）はすべて、それぞれの前記端子から切断されている、
請求項６に記載のコネクタ。
【請求項８】
請求項１に記載のコネクタと、
前記コネクタに嵌合するように適合された相手側コネクタと
を備えているコネクタアセンブリ。
【請求項９】
前記相手側コネクタは、
ハウジング（２００）と、
前記ハウジング（２００）内に設けられ、前記コネクタの前記第１の端子列（１１０）および前記第２の端子列（１２０）にそれぞれ電気接触するように適合された２つの端子列（２１０、２２０）とを備え、
前記相手側コネクタの前記２つの端子列（２１０、２２０）の各端子（２１０、２２０）は、前記コネクタの前記端子（１１０、１２０）の前記接触部分（１１１、１２１）に弾性的に電気接触するように適合された電気コンタクト（２１１、２２１）をさらに備えている、請求項８に記載のコネクタアセンブリ。
【請求項１０】
前記第１の端子列（１１０）および前記第２の端子列（１２０）の各端子は、第１の回路基板（１０）に溶接されるように適合された第１の溶接パッド（１１２、１２２）をさらに備え、
前記相手側コネクタの前記２つの端子列（２１０、２２０）の各端子（２１０、２２０）は、第２の回路基板（２０）に溶接されるように適合された第２の溶接パッド（２１２、２２２）をさらに備えている、請求項９に記載のコネクタアセンブリ。
【発明の詳細な説明】
【技術分野】
【０００１】
関連出願の相互参照
本出願は、開示全体が参照により本明細書に組み込まれている、中国国家知識産権局に２０１６年１１月１１日に出願された中国特許出願第２０１６１１０４０１６０．４号の利益を主張するものとする。
【０００２】
本開示は、コネクタおよびコネクタアセンブリに関する。
【背景技術】
【０００３】
典型的には、たとえば、互いに嵌合するように適合された２つのコネクタ（第１のコネクタおよび第２のコネクタと呼ぶ）において、第１のコネクタは舌状プラグを有し、第２のコネクタは挿入チャンバを有し、舌状プラグは、挿入チャンバ内へ挿入するように適合される。第１のコネクタの導電端子は、舌状プラグに固定して取り付けられる。第２のコネクタの導電端子の弾性アームは、挿入チャンバ内へ延びて、挿入チャンバ内へ挿入された舌状プラグ上の第１のコネクタの導電端子に弾性的に電気接触する。
【０００４】
従来技術では、第１のコネクタおよび第２のコネクタの嵌合中、第２のコネクタの導電端子の弾性アームの電気コンタクトが、第１のコネクタの導電端子に弾性的に電気接触し、所定の距離（またはスクラッチ距離）にわたって第１のコネクタの導電端子の表面上を摺動して、第１のコネクタおよび第２のコネクタの導電端子の表面上に形成された酸化物層を自動的に削り取り、優れた電気コンタクト性能を確保する。
【０００５】
したがって、従来技術では、第１のコネクタおよび第２のコネクタの嵌合中に第１のコネクタの導電端子と第２のコネクタの導電端子との間の十分なスクラッチ距離を確保するために、第１のコネクタの導電端子は十分な長さを有する必要がある。しかし、第１のコネクタが２つの隣接する導電端子列を有する場合、導電端子が長すぎる結果、第１のコネクタの２つの隣接する導電端子列間の結合が増大し、したがって第１のコネクタの２つの隣接する導電端子列間で共振が開始される。２つの隣接する導電端子列の長さが長いほど、２つの隣接する導電端子列間の結合がより大きくなり、その結果、２つの隣接する導電端子列間の共振がより強くなり、使用の際にともに嵌合された第１のコネクタおよび第２のコネクタの作用に影響を及ぼし、その作用帯域幅が制限される。
【発明の概要】
【発明が解決しようとする課題】
【０００６】
本開示の目的は、上述した従来技術の技術的な問題および欠点の少なくとも１つの態様を解決することである。
【課題を解決するための手段】
【０００７】
本開示の目的によれば、端子の有効スクラッチ距離を低減させることなく２つの隣接する端子列間の共振を実質上抑制することができるコネクタが提供される。
【０００８】
本開示の一態様によれば、ハウジングと、ハウジング内に設けられ、少なくとも第１の端子列および第１の端子列に隣接する第２の端子列を備える複数の端子列と、ハウジング内に設けられ、第１の面および第１の面とは反対側の第２の面を有する挿入タングとを備えるコネクタが提供される。第１の端子列の接触部分および第２の端子列の接触部分は、挿入タングの第１の面および第２の面上でそれぞれ保持され、第１の端子列の端子は、第２の端子列の端子にそれぞれ対応する。第１の端子の少なくともいくつかの接触部分の末端部は、それぞれの第１の端子から切断されており、第１の端子の少なくともいくつかに対応する第２の端子の少なくともいくつかの接触部分の末端部は、それぞれの第２の端子から切断されている。
【０００９】
本開示の一実施形態によれば、第１の端子列および第２の端子列はそれぞれ、少なくとも１対の高速差分信号端子を備える。
【００１０】
本開示の別の実施形態によれば、第１の端子列および第２の端子列内の高速差分信号端子の接触部分の末端部は、それぞれの高速差分信号端子から切断されており、第１の端子列および第２の端子列内の高速差分信号端子以外の他の端子の接触部分の末端部は、それぞれの端子から切断されていない。
【００１１】
本開示の別の実施形態によれば、第１の端子列および第２の端子列はそれぞれ、少なくとも１対の低速差分信号端子をさらに備える。
【００１２】
本開示の別の実施形態によれば、第１の端子列および第２の端子列内の高速差分信号端子および低速差分信号端子の接触部分の末端部はどちらも、それぞれの端子から切断されており、第１の端子列および第２の端子列内の高速差分信号端子および低速差分信号端子以外の他の端子の接触部分の末端部は、それぞれの端子から切断されていない。
【００１３】
本開示の別の実施形態によれば、第１の端子列および第２の端子列はそれぞれ、少なくとも１つの接地端子をさらに備え、接地端子は、２対の高速差分信号端子間または１対の低速差分信号端子と１対の高速差分信号端子との間に位置している。
【００１４】
本開示の別の実施形態によれば、第１の端子列および第２の端子列内の高速差分信号端子、低速差分信号端子、および接地端子の接触部分の末端部はすべて、それぞれの端子から切断されている。
【００１５】
本開示の一態様によれば、前述のコネクタと、コネクタに嵌合するように適合された相手側コネクタとを備えるコネクタアセンブリが提供される。
【００１６】
本開示の一実施形態によれば、相手側コネクタは、ハウジングと、ハウジング内に設けられ、コネクタの第１の端子列および第２の端子列にそれぞれ電気接触するように適合された２つの端子列とを備え、相手側コネクタの２つの端子列の各端子は、コネクタの端子の接触部分に弾性的に電気接触するように適合された電気コンタクトをさらに備える。
【００１７】
本開示の別の実施形態によれば、第１の端子列および第２の端子列の各端子は、第１の回路基板に溶接されるように適合された第１の溶接パッドをさらに備え、相手側コネクタの２つの端子列の各端子は、第２の回路基板に溶接されるように適合された第２の溶接パッドをさらに備える。
【００１８】
本開示の前述の実施形態では、２つの隣接する端子列の少なくともいくつかの接触部分の末端部がそれぞれの端子から切断されているため、それぞれの端子の有効導電長を低減させ、２つの隣接する端子列間の共振を実質上抑制することができる。加えて、コネクタのそれぞれの端子から切断された末端部はそれでもなお、相手側コネクタの相手側端子に摺接することができる。それによって、コネクタと相手側コネクタとの間の十分なスクラッチ距離を依然として確保することができる。
【００１９】
本開示の他の目的および利点は、添付の図面と併せて本開示の包括的な理解を与えることができる本開示の以下の説明から明らかになるであろう。
【００２０】
本開示の上記その他の特徴は、本開示の例示的な実施形態について添付の図面を参照して詳細に説明することによってより明らかになるであろう。
【図面の簡単な説明】
【００２１】
【図１】本開示の例示的な実施形態によるコネクタおよびコネクタに嵌合された相手側コネクタの概略斜視図である。
【図２】図１に示すコネクタおよびコネクタに嵌合する相手側コネクタを示す断面図である。
【図３】図２に示すコネクタの２つの隣接する端子列の概略平面図である。
【図４】高速差分信号端子の接触部分の末端部のみがそれぞれの高速差分信号端子から切断されており、他の端子の接触部分の末端部はそれぞれの端子から切断されていない、本開示の一実施形態によるコネクタの２つの隣接する端子列の概略図である。
【図５】高速差分信号端子および低速差分信号端子の接触部分の末端部がどちらもそれぞれの端子から切断されており、他の端子の接触部分の末端部はそれぞれの端子から切断されていない、本開示の別の実施形態によるコネクタの２つの隣接する端子列の概略図である。
【図６】高速差分信号端子、低速差分信号端子、および接地端子の接触部分の末端部がすべてそれぞれの端子から切断されている、本開示のさらに別の実施形態によるコネクタの２つの隣接する端子列の概略図である。
【図７】互いに接触する前の図２に示すコネクタの端子および相手側コネクタの端子の概略図である。
【図８】相手側コネクタの端子の電気コンタクトがコネクタの端子の切断された末端部に接触している概略図である。
【図９】相手側コネクタの端子の電気コンタクトがコネクタの端子の有効接触部分に接触している概略図である。
【発明を実施するための形態】
【００２２】
以下、本開示の例示的な実施形態について、添付の図面を参照して詳細に説明する。添付の図面では、同じ参照番号が同様の要素を指す。本開示の実施形態に対する説明は、添付の図面とともに、記載する例示的な実施形態に本開示を限定するものではなく、本開示の一般概念を当業者に伝えるものであることを理解されたい。
【００２３】
さらに、以下の詳細な説明では、説明の目的で、開示する実施形態の徹底的な理解を提供するために、多数の具体的な詳細について述べる。しかし、これらの具体的な詳細がなくても１つまたは複数の実施形態を実施することができることが明らかであろう。他の場合、図面を簡略にするために、よく知られている構造およびデバイスは概略的に示す。
【００２４】
本発明の技術的な一般概念によれば、ハウジングと、ハウジング内に設けられ、少なくとも第１の端子列および第１の端子列に隣接する第２の端子列を備える複数の端子列と、ハウジング内に設けられ、第１の面および第１の面とは反対側の第２の面を有する挿入タングとを備えるコネクタが提供される。第１の端子列の接触部分および第２の端子列の接触部分は、挿入タングの第１の面および第２の面上でそれぞれ保持され、第１の端子列の端子は、第２の端子列の端子にそれぞれ対応する。第１の端子の少なくともいくつかの接触部分の末端部は、それぞれの第１の端子から切断されており、第１の端子の少なくともいくつかに対応する第２の端子の少なくともいくつかの接触部分の末端部は、それぞれの第２の端子から切断されている。
【００２５】
図１は、本開示の例示的な実施形態によるコネクタ１００およびコネクタ１００に嵌合された相手側コネクタ２００の概略斜視図を示し、図２は、図１に示すコネクタ１００およびコネクタに嵌合する相手側コネクタ２００を示す断面図を示し、図３は、図２に示すコネクタ１００の２つの隣接する端子列の概略平面図を示す。
【００２６】
図１〜図３に示すように、本開示の一実施形態では、コネクタは主に、ハウジング１００と、複数の端子列１１０、１２０と、挿入タング１３０とを備える。複数の端子列１１０、１２０は、ハウジング１００内に設けられ、少なくとも第１の端子列１１０および第１の端子列１１０に隣接する第２の端子列１２０を備える。挿入タング１３０は、ハウジング１００内に設けられ、第１の面および第１の面とは反対側の第２の面を有する。
【００２７】
図２に示すように、図示の実施形態では、第１の端子列１１０の接触部分１１１および第２の端子列１２０の接触部分１２１は、挿入タング１３０の第１の面および第２の面上でそれぞれ保持される。図３に示すように、図示の実施形態では、第１の端子列１１０の端子は、第２の端子列１２０の端子にそれぞれ対応または対向する。
【００２８】
図２に示すように、本開示の一実施形態では、第１の端子１１０の少なくともいくつかの接触部分１１１の末端部１１１ａは、それぞれの第１の端子１１０から物理的に切断されており、第１の端子１１０の少なくともいくつかに対応または対向する第２の端子１２０の少なくともいくつかの接触部分１２１の末端部１２１ａは、それぞれの第２の端子１２０から物理的に切断されている。すなわち、第１の端子１１０の少なくともいくつかおよび第２の端子１２０の少なくともいくつかの接触部分１１１、１２１はそれぞれ、互いから電気的に分離された２つの部分を備える。
【００２９】
図２に示すように、本開示の前述の実施形態では、２つの隣接する端子列の少なくともいくつかの接触部分の末端部がそれぞれの端子から切断されているため、それぞれの端子の有効導電長を低減させ、２つの隣接する端子列間の共振を実質上抑制することができる。加えて、コネクタのそれぞれの端子から切断された末端部はそれでもなお、相手側コネクタの相手側端子に摺接することができる。それによって、コネクタと相手側コネクタとの間の十分なスクラッチ距離を依然として確保することができる。
【００３０】
図４は、高速差分信号端子Ｓの接触部分の末端部のみがそれぞれの高速差分信号端子Ｓから切断されており、他の端子Ｇ、Ｔの接触部分の末端部はそれぞれの端子から切断されていない、本開示の一実施形態によるコネクタ１００の２つの隣接する端子列１１０、１２０の概略図を示す。
【００３１】
図３および図４に示すように、本開示の一実施形態では、第１の端子列１１０および第２の端子列１２０はそれぞれ、少なくとも１対の高速差分信号端子Ｓ、Ｓを備える。図示の実施形態では、第１の端子列１１０および第２の端子列１２０はそれぞれ、３対の高速差分信号端子Ｓ、Ｓを備える。しかし、本開示は、図示の実施形態に限定するものではなく、第１の端子列１１０および第２の端子列１２０はそれぞれ、１対、２対、４対、またはそれ以上の高速差分信号端子Ｓ、Ｓを備えることができる。
【００３２】
図３および図４に示すように、図示の実施形態では、第１の端子列１１０および第２の端子列１２０内の高速差分信号端子Ｓの接触部分１１１、１２１の末端部１１１ａ、１２１ａは、それぞれの高速差分信号端子Ｓから物理的に切断されており、第１の端子列１１０および第２の端子列１２０内の高速差分信号端子Ｓ以外の他の端子Ｇ、Ｔの接触部分１１１、１２１の末端部１１１ａ、１２１ａは、それぞれの端子Ｇ、Ｔから物理的に切断されていない。すなわち、第１の端子列１１０および第２の端子列１２０内の高速差分信号端子Ｓはそれぞれ、互いから電気的に分離された２つの部分を備え、他方では、第１の端子列１１０および第２の端子列１２０内の他の端子Ｇ、Ｔはそれぞれ、単体として形成されている。
【００３３】
図５は、高速差分信号端子Ｓおよび低速差分信号端子Ｔの接触部分の末端部がどちらもそれぞれの端子から切断されており、他の端子Ｇの接触部分の末端部はそれぞれの端子から切断されていない、本開示の別の実施形態によるコネクタ１００の２つの隣接する端子列１１０、１２０の概略図を示す。
【００３４】
図３および図５に示すように、本開示の一実施形態では、第１の端子列１１０および第２の端子列１２０はそれぞれ、少なくとも１対の低速差分信号端子Ｔ、Ｔをさらに備える。図示の実施形態では、第１の端子列１１０および第２の端子列１２０はそれぞれ、２対の低速差分信号端子Ｔ、Ｔを備える。しかし、本開示は、図示の実施形態に限定するものではなく、第１の端子列１１０および第２の端子列１２０はそれぞれ、１対、３対、またはそれ以上の低速差分信号端子Ｔ、Ｔを備えることができる。
【００３５】
図３および図５に示すように、図示の実施形態では、第１の端子列１１０および第２の端子列１２０内の高速差分信号端子Ｓおよび低速差分信号端子Ｔの接触部分１１１、１２１の末端部１１１ａ、１２１ａはどちらも、それぞれの端子から物理的に切断されており、第１の端子列１１０および第２の端子列１２０内の高速差分信号端子Ｓおよび低速差分信号端子Ｔ以外の他の端子Ｇの接触部分１１１、１２１の末端部１１１ａ、１２１ａは、それぞれの端子Ｇから物理的に切断されていない。すなわち、他の端子Ｇの接触部分１１１、１２１の末端部１１１ａ、１２１ａは、それぞれの端子Ｇ、Ｔから一体的に延びる。
【００３６】
図６は、高速差分信号端子Ｓ、低速差分信号端子Ｔ、および接地端子Ｇの接触部分の末端部がすべてそれぞれの端子から切断されている、本開示のさらに別の実施形態によるコネクタ１００の２つの隣接する端子列１１０、１２０の概略図を示す。
【００３７】
図３および図６に示すように、本開示の一実施形態では、第１の端子列１１０および第２の端子列１２０はそれぞれ、少なくとも１つの接地端子Ｇをさらに備える。接地端子Ｇは、２対の高速差分信号端子Ｓ間または１対の低速差分信号端子Ｔと１対の高速差分信号端子Ｓとの間に位置する。図示の実施形態では、第１の端子列１１０および第２の端子列１２０はそれぞれ、６つの接地端子Ｇをさらに備える。
【００３８】
図３および図６に示すように、図示の実施形態では、第１の端子列１１０および第２の端子列１２０内の高速差分信号端子Ｓ、低速差分信号端子Ｔ、および接地端子Ｇの接触部分１１１、１２１の末端部１１１ａ、１２１ａはすべて、それぞれの端子から切断されている。すなわち、各接触部分１１１、１２１は、互いから電気的に分離された２つの部分を備える。
【００３９】
コネクタの端子の数、構成、および構造は、図示の実施形態に限定するものではないことに留意されたい。図示のコネクタ１００は単なる例示であり、本開示の概念の一例として示されている。
【００４０】
図１および図２に示すように、本開示の別の実施形態では、コネクタアセンブリも開示される。コネクタアセンブリは主に、前述のコネクタ１００と、コネクタ１００に嵌合するように適合された相手側コネクタ２００とを備える。
【００４１】
図７は、互いに接触する前の図２に示すコネクタ１００の端子１１０、１２０および相手側コネクタ２００の端子２１０、２２０の概略図を示す。
【００４２】
図１、図２、および図７に示すように、図示の実施形態では、相手側コネクタは、ハウジング２００と、ハウジング２００内に設けられ、コネクタ１００の第１の端子列１１０および第２の端子列１２０にそれぞれ電気接触するように適合された２つの端子列２１０、２２０とを備える。相手側コネクタの２つの端子列２１０、２２０の各端子２１０、２２０は、コネクタの端子１１０、１２０の接触部分１１１、１２１に弾性的に電気接触するように適合された電気コンタクト２１１、２２１を備える。
【００４３】
図１、図２、および図７に示すように、図示の実施形態では、第１の端子列１０および第２の端子列１２０の各端子は、第１の回路基板１０に溶接されるように適合された溶接パッド１１２、１２２をさらに備え、相手側コネクタの２つの端子列２１０、２２０の各端子２１０、２２０は、第２の回路基板２０に溶接されるように適合された溶接パッド２１２、２２２をさらに備える。このようにして、第１の回路基板１０および第２の回路基板２０は、コネクタ１００および相手側コネクタ２００を介して互いに電気接続することができる。
【００４４】
図８は、相手側コネクタ２００の端子２１０、２２０の電気コンタクト２１１、２２１がコネクタ１００の端子１１０、１２０の切断された末端部１１１ａ、１２１ａに接触している概略図を示し、図９は、相手側コネクタ２００の端子２１０、２２０の電気コンタクト２１１、２２１がコネクタ１００の端子１１０、１２０の有効電気接触部分１１１、１２１に接触している概略図を示す。
【００４５】
図７〜９は、コネクタ１００の挿入タング１３０を相手側コネクタ２００の２つの端子列２１０、２２０間に挿入するプロセスを示す。
【００４６】
図８に示すように、挿入の初めに、相手側コネクタ２００の端子２１０、２２０の電気コンタクト２１１、２２１は、コネクタ１００の端子１１０、１２０の切断された末端部１１１ａ、１２１ａに接触する。この時点で、相手側コネクタ２００の端子２１０、２２０は、コネクタ１００の端子１１０、１２０に電気接続されていない。
【００４７】
図９に示すように、挿入を完了したとき、相手側コネクタ２００の端子２１０、２２０の電気コンタクト２１１、２２１は、コネクタ１００の端子１１０、１２０の有効電気接触部分１１１、１２１に接触する。この時点で、相手側コネクタ２００の端子２１０、２２０は、コネクタ１００の端子１１０、１２０に実質上電気接続されている。
【００４８】
上記の実施形態はすべて例示的な実施形態であり、当業者であれば、構成上または原理上矛盾することなく、上記の実施形態に多くの修正を加えることができ、異なる実施形態に記載する様々な特徴を互いに自由に組み合わせることができることを、当業者には理解されたい。
【００４９】
本開示について、添付の図面を参照して説明したが、添付の図面に開示する実施形態は、本開示の好ましい実施形態について例示的に説明することが意図されており、本開示に対する限定として解釈されるべきではない。
【００５０】
本開示の一般概念のいくつかの実施形態について図示および説明したが、これらの実施形態では、本開示の原理および精神から逸脱することなく、様々な変更または修正を加えることができることが、当業者には理解されよう。本開示の範囲は、特許請求の範囲およびその均等物に定義される。
【００５１】
本明細書では、「備える」または「有する」という用語は、他の要素またはステップを除外しないものとして理解し、「ａ」または「ａｎ」という用語は、複数の要素またはステップを除外しないものとして理解されたい。加えて、特許請求の範囲におけるいかなる参照番号も、本開示の範囲の限定として理解されるべきではない。
【図１】
2018110104.tif 000003
【図２】
2018110104.tif 000004
【図３】
2018110104.tif 000005
【図４】
2018110104.tif 000006
【図５】
2018110104.tif 000007
【図６】
2018110104.tif 000008
【図７】
2018110104.tif 000009
【図８】
2018110104.tif 000010
【図９】
2018110104.tif 000011
【外国語明細書】
2018110104000001.pdf